【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  配送物の配送を配送業者に委託する送付者の送付者端末装置と，前記配送物を受け取る受取者の受取者端末装置とが，公衆回線網を介して接続されており，
前記受取者端末装置は，所定のメディアを介して前記配送業者の公開鍵を取得し，前記公開鍵を使用して，少なくとも配送物の配送に必要な受取者の個人情報からなる受取者情報を暗号化して受取者暗号情報を生成し，前記受取者暗号情報を前記送付者端末装置に送信し，
前記送付者端末装置は，前記送信された受取者暗号情報を前記配送業者に委託する配送物に添付するために出力し，
前記出力された受取者暗号情報は，前記配送業者の暗号読取装置により，前記配送業者の秘密鍵を使用して前記受取者暗号情報を復号化されて，前記受取人情報が前記配送業者に取得される，
ことを特徴とする配送物の配送システム。
【請求項２】  前記受取者端末装置は，前記受取者暗号情報に前記配送業者の公開鍵に関する情報を添付して，前記送付者端末装置に送信する，ことを特徴とする請求項１に記載の配送物の配送システム。
【請求項３】  前記送付者端末装置は，所定のメディアを介して前記配送業者の公開鍵を取得し，前記公開鍵を使用して，送付者に関する送付者情報を暗号化して送付者暗号情報を生成し，前記送付者暗号情報を前記配送業者に委託する配送物に添付するために出力し，
前記出力された送付者暗号情報は，前記配送業者の暗号読取装置により，前記配送業者の秘密鍵を使用して前記送付者暗号情報が復号化されて，前記送付者情報が前記配送業者に取得される，
ことを特徴とする請求項１に記載の配送物の配送システム。
【請求項４】  少なくとも前記受取者暗号情報は，コード化情報からなる，
ことを特徴とする請求項１に記載の配送物の配送システム。
【請求項５】  少なくとも前記受取者暗号情報の出力には，少なくとも前記受取者を識別するための名称が記載されている，ことを特徴とする請求項１に記載の配送物の配送システム。
【請求項６】  配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者の配送業者サーバ装置であって，
受取者情報を暗号化する暗号化プログラムを実行させるための公開鍵を管理する公開鍵管理手段と，
前記受取者端末装置の要求に応じて，前記公開鍵を前記受取者端末装置に送信する公開鍵送信手段と，
受取者情報が前記公開鍵を使用して前記暗号化プログラムにより暗号化されて生成された受取者暗号情報を，復号化するための秘密鍵を管理する秘密鍵管理手段と，
前記受取者暗号情報を復号化する暗号読取装置に対して，前記秘密鍵を提供する秘密鍵提供手段と，を有し，
前記受取者情報は少なくとも配送物の配送に必要な受取者の個人情報からなることを特徴とする配送業者サーバ装置。
【請求項７】  さらに，
前記公開鍵送信手段は，前記送付者端末装置の要求に応じて，前記公開鍵を前記送付者端末装置に送信することが可能であり，
前記公開鍵を使用して，前記暗号化プログラムにより前記送付者に関する送付者情報を暗号化した送付者暗号情報の生成が可能であり，
前記秘密鍵は，前記送付者暗号情報を復号化することが可能である，
ことを特徴とする請求項６に記載の配送業者サーバ装置。
【請求項８】  少なくとも前記受取者暗号情報の出力には，少なくとも前記受取者を識別するための名称が記載されている，ことを特徴とする請求項６に記載の配送業者サーバ装置。
【請求項９】  配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者の配送業者サーバ装置と接続可能な暗号読取装置であって，
前記配送業者の公開鍵を使用して暗号化プログラムにより少なくとも配送物の配送に必要な受取者情報が暗号化されて生成された受取者暗号情報を復号化するための秘密鍵をサーバ装置から取得する手段と，
前記受取者暗号情報を読み取って，前記秘密鍵により復号化する手段と，
前記復号化した受取者暗号情報を可読な受取者情報として出力する手段と，
を有することを特徴とする暗号読取装置。
【請求項１０】  前記暗号読取装置は，前記公開鍵を使用して前記暗号化プログラムにより暗号化された送付者の個人情報である送付者暗号情報の復号化が可能であり，
前記復号化した送付者暗号情報を可読な送付者情報として出力可能である，
ことを特徴とする請求項９に記載の暗号読取装置。
【請求項１１】  配送物の配送を配送業者に委託する送付者の送付者端末装置と，前記配送物を受け取る受取者の受取者端末装置とが，公衆回線網を介して接続された配送物の配送方法であって，
前記受取者端末装置は，所定のメディアを介して前記配送業者の公開鍵を取得し，前記公開鍵を使用して，少なくとも配送物の配送に必要な受取者の個人情報からなる受取者情報を暗号化して受取者暗号情報を生成し，前記受取者暗号情報を前記送付者端末装置に送信し，
前記送付者端末装置は，前記送信された受取者暗号情報を前記配送業者に委託する配送物に添付するために出力し，
前記出力された受取者暗号情報は，前記配送業者の暗号読取装置により，前記配送業者の秘密鍵を使用して前記受取者暗号情報を復号化されて，前記受取人の配達先の情報が前記配送業者に取得される，
ことを特徴とする配送物の配送方法。
【請求項１２】  前記受取者端末装置は，前記受取者暗号情報に前記配送業者の公開鍵に関する情報を添付して，前記送付者端末装置を送信する，ことを特徴とする請求項１１に記載の配送物の配送方法。
【請求項１３】  前記送付者端末装置は，前記配送業者サーバ装置から又は所定のメディアを介して前記配送業者の公開鍵を取得し，前記公開鍵を使用して，送付者に関する情報を暗号化して送付者暗号情報を生成し，前記送付者暗号情報を前記配送業者に委託する配送物に添付するために出力し，
前記出力された送付者暗号情報は，前記配送業者の暗号読取装置により，前記配送業者の秘密鍵を使用して前記送付者暗号情報が復号化されて，前記送付者情報が前記配送業者に取得される，
ことを特徴とする請求項１１に記載の配送物の配送方法。
【請求項１４】  少なくとも前記受取者暗号情報は，コード化情報からなる，
ことを特徴とする請求項１１に記載の配送物の配送方法。
【請求項１５】  前記受取者暗号情報の出力には，少なくとも前記受取者を識別するための名称が記載されている，ことを特徴とする請求項１１に記載の配送物の配送方法。
【請求項１６】  配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者のコンピュータに対し，
受取者情報を暗号化する暗号化プログラムを実行させるための公開鍵を管理する公開鍵管理手段と，
前記受取者端末装置の要求に応じて，前記公開鍵を前記受取者端末装置に送信する公開鍵送信手段と，
受取者情報が前記公開鍵を使用して前記暗号化プログラムにより暗号化されて生成された受取者暗号情報を，復号化するための秘密鍵を管理する秘密鍵管理手段と，
前記受取者暗号情報を復号化する暗号読取装置に対して，前記秘密鍵を提供する秘密鍵提供手段と，
して機能させるためのプログラムであり，前記受取者情報は少なくとも配送物の配送に必要な受取者の個人情報からなることを特徴とするプログラム。
【請求項１７】  配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者のコンピュータに対し，
受取者情報を暗号化する暗号化プログラムを実行させるための公開鍵を管理する公開鍵管理手段と，
前記受取者端末装置の要求に応じて，前記公開鍵を前記受取者端末装置に送信する公開鍵送信手段と，
受取者情報が前記公開鍵を使用して前記暗号化プログラムにより暗号化されて生成された受取者暗号情報を，復号化するための秘密鍵を管理する秘密鍵管理手段と，
前記受取者暗号情報を復号化する暗号読取装置に対して，前記秘密鍵を提供する秘密鍵提供手段と，
して機能させるためのプログラムであり，前記受取者情報は少なくとも配送物の配送に必要な受取者の個人情報からなることを特徴とするプログラムを記録したコンピュータ読み取り可能な記録媒体。
【手続補正２】
【補正対象書類名】明細書
【補正対象項目名】００１３
【補正方法】変更
【補正の内容】
【００１３】
上記課題を解決するため，本発明の第２の観点においては，配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者の配送業者サーバ装置であって，前記配送業者サーバ装置は，受取者情報を暗号化する暗号化プログラムを実行させるための公開鍵を管理する公開鍵管理手段と，前記受取者端末装置の要求に応じて，前記公開鍵を前記受取者端末装置に送信する公開鍵送信手段と，受取者情報が前記公開鍵を使用して前記暗号化プログラムにより暗号化されて生成された受取者暗号情報を，復号化するための秘密鍵を管理する秘密鍵管理手段と，前記受取者暗号情報を復号化する暗号読取装置に対して，前記秘密鍵を提供する秘密鍵提供手段と，を有し，前記受取者情報は少なくとも配送物の配送に必要な受取者の個人情報からなることを特徴とする配送業者サーバ装置が提供される。
【手続補正３】
【補正対象書類名】明細書
【補正対象項目名】００２６
【補正方法】変更
【補正の内容】
【００２６】
上記課題を解決するため，本発明の第５の観点においては，配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者のコンピュータに対し，受取者情報を暗号化する暗号化プログラムを実行させるための公開鍵を管理する公開鍵管理手段と，前記受取者端末装置の要求に応じて，前記公開鍵を前記受取者端末装置に送信する公開鍵送信手段と，受取者情報が前記公開鍵を使用して前記暗号化プログラムにより暗号化されて生成された受取者暗号情報を，復号化するための秘密鍵を管理する秘密鍵管理手段と，前記受取者暗号情報を復号化する暗号読取装置に対して，前記秘密鍵を提供する秘密鍵提供手段と，して機能させるためのプログラムであり，前記受取者情報は少なくとも配送物の配送に必要な受取者の個人情報からなることを特徴とするプログラムが提供される。
【手続補正４】
【補正対象書類名】明細書
【補正対象項目名】００２７
【補正方法】変更
【補正の内容】
【００２７】
上記課題を解決するため，本発明の第６の観点においては，配送物の配送を配送業者に委託する送付者の送付者端末装置と，前記配送物を受け取る受取者の受取者端末装置と公衆回線網を介して接続される，前記送付者から委託された前記配送物を前記受取者に配送する配送業者のコンピュータに対し，受取者情報を暗号化する暗号化プログラムを実行させるための公開鍵を管理する公開鍵管理手段と，前記受取者端末装置の要求に応じて，前記公開鍵を前記受取者端末装置に送信する公開鍵送信手段と，受取者情報が前記公開鍵を使用して前記暗号化プログラムにより暗号化されて生成された受取者暗号情報を，復号化するための秘密鍵を管理する秘密鍵管理手段と，前記受取者暗号情報を復号化する暗号読取装置に対して，前記秘密鍵を提供する秘密鍵提供手段と，して機能させるためのプログラムであり，前記受取者情報は少なくとも配送物の配送に必要な受取者の個人情報からなることを特徴とするプログラムを記録したコンピュータ読み取り可能な記録媒体が提供される。